(57)【要約】【課題】タッチパネル有する情報端末において、入力操作に関して良好な操作性を提供する。【解決手段】情報端末１は、ユーザによる入力操作が行われた位置を示す座標情報を取得する座標取得部１２、座標情報に基づき入力容易エリアを設定する入力容易エリア設定部１４を備えるので、ユーザにとって入力操作が容易な領域に入力容易エリアが設定される。そして、この入力容易エリア内に入力オブジェクトが表示する入力オブジェクト表示部１７を備えるので、ユーザは、入力オブジェクトに対する入力操作を容易に実施できる。【選択図】図１
2013229002.tif 000002
【特許請求の範囲】
【請求項１】
タッチパネルを有する情報端末であって、
前記タッチパネルに対して入力操作が行われた位置を示す座標情報を取得する座標取得手段と、
前記座標取得手段により取得された座標情報に基づき、前記タッチパネルにおける一定の領域を入力容易エリアとして設定する入力容易エリア設定手段と、
前記入力容易エリア設定手段により設定された入力容易エリアを記憶する入力容易エリア記憶手段と、
前記タッチパネルにおいて入力位置を示すために表示される入力オブジェクトを前記入力容易エリア記憶手段に記憶された入力容易エリア内に表示する入力オブジェクト表示手段と、
を備える情報端末。
【請求項２】
ユーザに入力操作を促すための入力受付画面を前記タッチパネルに表示する入力受付画面出力手段を更に備え、
前記座標取得手段は、前記入力受付画面出力手段により表示された入力受付画面に応じて入力された座標情報を取得する、
請求項１に記載の情報端末。
【請求項３】
前記座標取得手段は、複数の座標情報を取得し、
前記入力容易エリア設定手段は、前記座標取得手段により取得された複数の座標情報のうち、所定の基準に基づき３点の座標を選択し、選択された３点を通る円弧と、タッチパネルの外縁を構成する四辺のうちの二辺とに囲まれた領域を、入力容易エリアに設定する、
請求項１又は２に記載の情報端末。
【請求項４】
前記座標取得手段は、複数の座標情報を取得し、
前記入力容易エリア設定手段は、前記座標取得手段により取得された複数の座標情報に示される全ての位置を含む領域を入力容易エリアに設定する、
請求項１又は２に記載の情報端末。
【請求項５】
前記入力容易エリア設定手段は、前記座標取得手段により取得された一の座標情報に示される１点を通る直線により２分割されたタッチパネルの入力領域のうちのいずれか一方の領域を入力容易エリアに設定する、
請求項１又は２に記載の情報端末。
【請求項６】
前記座標取得手段は、複数の座標情報を取得し、
前記入力容易エリア設定手段は、前記座標取得手段により取得された複数の座標情報に示される複数の点が分布する分布領域の形状に基づき入力容易エリアを設定する、
請求項１又は２に記載の情報端末。
【請求項７】
当該情報端末において起動されたアプリケーションが、前記入力オブジェクトを表示するアプリケーションであるか否かを判断する入力オブジェクト判断手段を更に備え、
前記入力オブジェクト表示手段は、前記入力オブジェクト判断手段により、起動されたアプリケーションが、前記入力オブジェクトを表示するアプリケーションであると判断された場合に、該入力オブジェクトを入力容易エリア内に表示する、
請求項１〜６のいずれか１項に記載の情報端末。
【請求項８】
タッチパネルを有する情報端末における入力オブジェクト表示方法であって、
前記タッチパネルに対して入力操作が行われた位置を示す座標情報を取得する座標取得ステップと、
前記座標取得ステップにおいて取得された座標情報に基づき、前記タッチパネルにおける一定の領域を入力容易エリアとして設定し、該入力容易エリアを入力容易エリア記憶手段に記憶させる入力容易エリア設定ステップと、
前記タッチパネルにおいて入力位置を示すために表示される入力オブジェクトを前記入力容易エリア設定ステップにおいて前記入力容易エリア記憶手段に記憶された入力容易エリア内に表示する入力オブジェクト表示ステップと、
を有する入力オブジェクト表示方法。
【請求項９】
タッチパネルを有する情報端末に、
前記タッチパネルに対して入力操作が行われた位置を示す座標情報を取得する座標取得機能と、
前記座標取得機能により取得された座標情報に基づき、前記タッチパネルにおける一定の領域を入力容易エリアとして設定する入力容易エリア設定機能と、
前記入力容易エリア設定機能により設定された入力容易エリアを記憶する入力容易エリア記憶機能と、
前記タッチパネルにおいて入力位置を示すために表示される入力オブジェクトを前記入力容易エリア記憶機能に記憶された入力容易エリア内に表示する入力オブジェクト表示機能と、
を実現させる入力オブジェクト表示プログラム。
【発明の詳細な説明】
【技術分野】
【０００１】
本発明は、情報端末、入力オブジェクト表示方法及び入力オブジェクト表示プログラムに関する。
【背景技術】
【０００２】
近年、タッチパネルの機能を備えたディスプレイを有する情報端末が普及している。このような情報端末では、種々の情報の入力を行うために、ソフトキーボードやアイコン等の入力位置及び入力内容を示すオブジェクトがディスプレイに表示される。ユーザは、入力操作を容易に行うために、オブジェクトのサイズ等を情報端末に設定できる。また、ユーザの使用状況に応じてディスプレイに表示されるキーの表示形態を変更する技術が知られている（例えば、特許文献１参照）。また、予め登録された任意のサイズ情報に従ってタッチパネルにキーを表示させる技術が知られている（例えば、特許文献２参照）。
【先行技術文献】
【特許文献】
【０００３】
【特許文献１】特開２００３−２８０７８２号公報
【特許文献２】特開２０００−１０６８９号公報
【発明の概要】
【発明が解決しようとする課題】
【０００４】
情報端末のユーザは、情報端末を一方の手で保持しながら、その手の指により種々の入力操作をする場合が多い。かかる態様での操作において、従来技術に示されるような、操作対象のキーのサイズを変更するのみでは、十分に良好な操作性が得られなかった。
【０００５】
そこで、本発明は、上記問題点に鑑みてなされたものであり、タッチパネル有する情報端末において、良好な操作性を提供できる情報端末、入力オブジェクト表示方法及び入力オブジェクト表示プログラムを提供することを目的とする。
【課題を解決するための手段】
【０００６】
上記課題を解決するために、本発明の情報端末は、タッチパネルを有する情報端末であって、タッチパネルに対して入力操作が行われた位置を示す座標情報を取得する座標取得手段と、座標取得手段により取得された座標情報に基づき、タッチパネルにおける一定の領域を入力容易エリアとして設定する入力容易エリア設定手段と、入力容易エリア設定手段により設定された入力容易エリアを記憶する入力容易エリア記憶手段と、タッチパネルにおいて入力位置を示すために表示される入力オブジェクトを入力容易エリア記憶手段に記憶された入力容易エリア内に表示する入力オブジェクト表示手段と、を備える。
【０００７】
また、上記課題を解決するために、本発明の入力オブジェクト表示方法は、タッチパネルを有する情報端末における入力オブジェクト表示方法であって、タッチパネルに対して入力操作が行われた位置を示す座標情報を取得する座標取得ステップと、座標取得ステップにおいて取得された座標情報に基づき、タッチパネルにおける一定の領域を入力容易エリアとして設定し、該入力容易エリアを入力容易エリア記憶手段に記憶させる入力容易エリア設定ステップと、タッチパネルにおいて入力位置を示すために表示される入力オブジェクトを入力容易エリア設定ステップにおいて入力容易エリア記憶手段に記憶された入力容易エリア内に表示する入力オブジェクト表示ステップと、を有する。
【０００８】
また、上記課題を解決するために、本発明の入力オブジェクト表示プログラムは、タッチパネルを有する情報端末に、タッチパネルに対して入力操作が行われた位置を示す座標情報を取得する座標取得機能と、座標取得機能により取得された座標情報に基づき、タッチパネルにおける一定の領域を入力容易エリアとして設定する入力容易エリア設定機能と、入力容易エリア設定機能により設定された入力容易エリアを記憶する入力容易エリア記憶機能と、タッチパネルにおいて入力位置を示すために表示される入力オブジェクトを入力容易エリア記憶機能に記憶された入力容易エリア内に表示する入力オブジェクト表示機能と、を実現させる。
【０００９】
本発明の情報端末、入力オブジェクト表示方法及び入力オブジェクト表示プログラムによれば、ユーザによる入力操作が行われた位置を示す座標情報に基づき入力容易エリアが設定されるので、この入力容易エリアは、ユーザにとって入力操作が容易な領域を示す。そして、この入力容易エリア内に入力オブジェクトが表示されるので、ユーザは、容易に入力操作を実施できる。
【００１０】
また、本発明の情報端末では、ユーザに入力操作を促すための入力受付画面をタッチパネルに表示する入力受付画面出力手段を更に備え、座標取得手段は、入力受付画面出力手段により表示された入力受付画面に応じて入力された座標情報を取得する。
【００１１】
上記構成によれば、座標情報を取得するための入力操作がユーザに対して促されるので、入力容易エリアの設定にための適切な座標情報を取得できる。
【００１２】
また、本発明の情報端末では、座標取得手段は、複数の座標情報を取得し、入力容易エリア設定手段は、座標取得手段により取得された複数の座標情報のうち、所定の基準に基づき３点の座標を選択し、選択された３点を通る円弧と、タッチパネルの外縁を構成する四辺のうちの二辺とに囲まれた領域を、入力容易エリアに設定する。
【００１３】
上記構成によれば、座標情報から選択された３点を通る円弧とタッチパネルの外縁を構成する二辺とに囲まれた領域に入力容易エリアが設定されるので、当該情報端末における当該二辺が位置する部分近傍を保持しながら入力操作を実施する場合において、操作が容易な領域に入力容易エリアが設定される。従って、ユーザに対して良好な操作性が提供される。
【００１４】
また、本発明の情報端末では、座標取得手段は、複数の座標情報を取得し、入力容易エリア設定手段は、取得された複数の座標情報に示される全ての位置を含む領域を入力容易エリアに設定する。
【００１５】
上記構成によれば、取得された座標情報に示される全ての位置を含むように入力容易エリアが設定されるので、ユーザが入力操作可能な領域に入力容易エリアを設定できる。このように設定された入力容易エリアに入力オブジェクトが表示されるので、良好な操作性が実現される。
【００１６】
また、本発明の情報端末では、入力容易エリア設定手段は、座標取得手段により取得された一の座標情報に示される１点を通る直線により２分割されたタッチパネルの入力領域のうちのいずれか一方の領域を入力容易エリアに設定することとしてもよい。
【００１７】
上記構成によれば、１点の座標情報に基づき入力容易エリアが設定されるので、少ない操作により入力オブジェクトを表示させる領域を容易に設定できる。
【００１８】
また、本発明の情報端末では、座標取得手段は、複数の座標情報を取得し、入力容易エリア設定手段は、座標取得手段により取得された複数の座標情報に示される複数の点が分布する分布領域の形状に基づき入力容易エリアを設定することとしてもよい。
【００１９】
上記構成によれば、座標情報の分布領域形状に基づき、タッチパネルにおけるユーザにとって入力が容易な領域が推定できる。これにより、適切な位置に入力オブジェクトを表示できる。
【００２０】
また、本発明の情報端末では、当該情報端末において起動されたアプリケーションが、入力オブジェクトを表示するアプリケーションであるか否かを判断する入力オブジェクト判断手段を更に備え、入力オブジェクト表示手段は、入力オブジェクト判断手段により、起動されたアプリケーションが、入力オブジェクトを表示するアプリケーションであると判断された場合に、該入力オブジェクトを入力容易エリア内に表示する。
【００２１】
上記構成によれば、入力オブジェクトの表示を伴うアプリケーションが起動された場合に、その入力オブジェクトが適切に入力容易エリアに表示されるので、かかるアプリケーションにおいて、良好な操作性を提供できる。
【発明の効果】
【００２２】
タッチパネル有する情報端末において、良好な操作性を提供することが可能となる。
【図面の簡単な説明】
【００２３】
【図１】情報端末の機能的構成を示すブロック図である。
【図２】情報端末のハードブロック図である。
【図３】入力受付画面の例を模式的に示す図である。
【図４】座標記憶部の構成及び記憶されているデータの例を示す図である。
【図５】入力容易エリアの設定の例を示す図である。
【図６】入力容易エリアの設定の例を示す図である。
【図７】入力容易エリアの設定の例を示す図である。
【図８】入力オブジェクトが表示されたディスプレイの例を示す図である。
【図９】入力オブジェクト表示方法の処理内容を示すフローチャートである。
【図１０】入力オブジェクト表示プログラムの構成を示す図である。
【発明を実施するための形態】
【００２４】
本発明に係る情報端末、入力オブジェクト表示方法及び入力オブジェクト表示プログラムの実施形態について図面を参照して説明する。なお、可能な場合には、同一の部分には同一の符号を付して、重複する説明を省略する。
【００２５】
図１は、情報端末１の機能的構成を示すブロック図である。図１に示すように、情報端末１は、タッチパネルＴを有する。タッチパネルＴは、表示部Ｄ及び入力受付部Ｐを含む。表示部Ｄは、種々の情報及び画像等を表示するディスプレイである。入力受付部Ｐは、入力操作を受け付ける部分であって、タッチパネルＴにおける入力操作が行われた位置を示す座標情報を取得できる。
【００２６】
情報端末１は、機能的には、入力受付画面出力部１１（入力受付画面出力手段）、座標取得部１２（座標取得手段）、座標記憶部１３、入力容易エリア設定部１４（入力容易エリア設定手段）、入力容易エリア記憶部１５（入力容易エリア記憶手段）、入力オブジェクト判断部１６（入力オブジェクト判断手段）及び入力オブジェクト表示部１７（入力オブジェクト表示手段）を備える。
【００２７】
図２は、情報端末１のハードウエア構成図である。情報端末１は、物理的には、図２に示すように、ＣＰＵ１０１、主記憶装置であるＲＡＭ１０２及びＲＯＭ１０３、データ送受信デバイスである通信モジュール１０４、ハードディスク、フラッシュメモリ等に例示される補助記憶装置１０５、入力デバイスであるキーボード等の入力装置１０６、ディスプレイ等の出力装置１０７などを含むコンピュータシステムとして構成されている。図１に示した各機能は、図２に示すＣＰＵ１０１、ＲＡＭ１０２等のハードウエア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。再び、図１を参照し、情報端末１の各機能部について詳細に説明する。
【００２８】
入力受付画面出力部１１は、ユーザに入力操作を促すための入力受付画面をタッチパネルに表示する部分である。図３は、タッチパネルＴにおける表示部Ｄに表示された入力受付画面の例を示す図である。図３に示すように、入力受付画面は、例えば、「片手でさわれるところをタッチしてください」といったメッセージＭを含む。このメッセージＭに応じて、ユーザの指Ｆにより、タッチパネルＴに対する入力操作が行われると、入力受付部Ｐは、入力操作が行われた位置の座標情報を検出する。このとき、ユーザは、例えば、タッチパネルＴにおける操作可能な位置を指Ｆにより塗りつぶすように連続的に入力操作することとしてもよい。また、ユーザは、操作可能な範囲の外縁上の複数の位置を入力操作することとしてもよい。また、ユーザは、操作可能な１点の位置に対して入力操作することとしてもよい。ユーザが情報端末１を保持しながら、保持している手の指で入力操作を行うことにより、ユーザにとって片手での入力操作がしやすい位置を示す座標情報が取得されることとなる。
【００２９】
座標取得部１２は、入力受付部Ｐにより検出された座標情報を取得する部分である。座標取得部１２は、取得した座標情報を座標記憶部１３に記憶させる。
【００３０】
座標記憶部１３は、座標取得部１２により取得された座標情報を記憶する部分である。図４は、座標記憶部１３に記憶されている座標情報の例を示す図である。図４に示すように座標記憶部１３は、ｘ座標及びｙ座標の値からなる座標情報を複数記憶している。なお、図４は、複数の座標が座標記憶部１３に記憶されている例を示すが、座標記憶部１３は、座標取得部１２により取得された１点の座標情報を記憶することとしてもよい。
【００３１】
入力容易エリア設定部１４は、座標記憶部１３に記憶された座標情報に基づき、タッチパネルにおける一定の領域を入力容易エリアとして設定する部分である。図５を参照して、入力容易エリア設定部１４による入力容易エリアの設定の例について具体的に説明する。図５に示すように、入力容易エリア設定部１４は、座標記憶部１３に記憶された複数の座標情報のうち、所定の基準に基づき３点の座標を選択する。例えば、入力容易エリア設定部１４は、複数の座標情報のうちｘ座標値が最大の位置ｐ２０の座標情報ｐ２０（ｘ２０，ｙ２０）、ｙ座標値が最大の位置ｐ１の座標情報ｐ１（ｘ１，ｙ１）、及びそれら２点の座標値の間の値を座標値として有する座標情報ｐ１０（ｘ１０，ｙ１０）を選択する。ここで、ｐ１０は、例えば、複数の座標情報のうち、位置ｐ１及び位置ｐ２０の中間点に最も近い位置の座標情報であってもよい。そして。入力容易エリア設定部１４は、選択した３点を通る円弧と、タッチパネルの外縁を構成する四辺のうちの二辺Ｌ１，Ｌ２とに囲まれた領域Ｒを、入力容易エリアに設定する。タッチパネルの外縁を構成する四辺からの二辺Ｌ１，Ｌ２の選択は、取得された座標情報が分布する分布領域を判定し、その分布領域からの距離がより近い二辺が抽出されることとしてもよいし、予め設定されていることとしてもよい。このように入力容易エリアが設定されることにより、情報端末１における二辺Ｌ１，Ｌ２が位置する部分近傍を保持しながら入力操作を実施する場合において、操作が容易な領域に入力容易エリアが設定される。従って、ユーザに対して良好な操作性が提供される。
【００３２】
また、入力容易エリア設定部１４は、座標記憶部１３に記憶された複数の座標情報に示される全ての位置を含む領域を入力容易エリアに設定することとしてもよい。この場合には、ユーザが入力操作可能な領域に入力容易エリアが設定され、設定された入力容易エリアに入力オブジェクトが表示されるので、良好な操作性が実現される。
【００３３】
続いて、入力容易エリア設定部１４による入力容易エリアの設定の他の例を説明する。例えば、入力容易エリア設定部１４は、座標取得部１２により取得された一の座標情報に示される１点を通る直線により２分割されたタッチパネルの入力領域のうちのいずれか一方の領域を入力容易エリアに設定することができる。図６を参照して、この場合の設定の例について具体的に説明する。
【００３４】
図６（ａ）に示すように、１点の座標情報ｐ３０（ｘ３０，ｙ３０）が取得された場合に、入力容易エリア設定部１４は、座標情報ｐ３０に示される位置を通りタッチパネルＴにおける横方向に平行な直線により２分割された入力領域のうちの、当該直線の下側の領域Ｒを入力容易エリアに設定する。すなわち、入力容易エリア設定部１４は、タッチパネルＴにおけるｙ座標値がｙ３０未満またはｙ３０以下の領域を入力容易エリアに設定する。
【００３５】
なお、１点の座標情報ｐ３０は、ユーザの指による１点の指示入力に基づき取得されることとしてもよい。また、ユーザの指による指示入力において複数の座標情報が取得された場合には、予め設定された所定の基準に基づき複数の座標情報から１点の座標情報が選択されることとしてもよい。
【００３６】
また、座標情報ｐ３０に示される位置を通る直線の上側及び下側のいずれの領域を入力容易エリアに設定するかは、予め設定されていることとしてもよいし、ユーザに入力させることとしてもよい。
【００３７】
また、図６（ｂ）に示すように、１点の座標情報ｐ３０（ｘ３０，ｙ３０）が取得された場合に、入力容易エリア設定部１４は、座標情報ｐ３０に示される位置を通りタッチパネルＴにおける縦方向に平行な直線により２分割された入力領域のうちの、当該直線の右側の領域Ｒを入力容易エリアに設定することとしてもよい。すなわち、入力容易エリア設定部１４は、タッチパネルＴにおけるｘ座標値がｘ３０より大きいまたはｘ３０以上の領域を入力容易エリアに設定する。一方、入力容易エリア設定部１４は、座標情報ｐ３０に示される位置を通りタッチパネルＴにおける縦方向に平行な直線により２分割された入力領域のうちの、当該直線の左側の領域を入力容易エリアに設定することとしてもよい（図示せず）。
【００３８】
また、図６（ｃ）に示すように、１点の座標情報ｐ３０（ｘ３０，ｙ３０）が取得された場合に、入力容易エリア設定部１４は、座標情報ｐ３０に示される位置を通りタッチパネルＴの四辺に対して所定の傾きを有する直線により２分割された入力領域のうちの、いずれかの領域Ｒを入力容易エリアに設定することとしてもよい。
【００３９】
次に、図７を参照して、入力容易エリアの設定の他の例について具体的に説明する。図７に示すように、入力容易エリア設定部１４は、座標取得部１２により取得された複数の座標情報に示される複数の点が分布する分布領域の形状に基づき入力容易エリアを設定することができる。
【００４０】
タッチパネルＴに対して、指の面により一定の大きさを有する領域に対してタッチ操作が行われた場合には、複数の座標情報が取得される。このように取得された座標情報に示される複数の点により分布領域Ｃ１が形成される。この分布領域Ｃ１の形状に基づき、タッチ操作を行った指の付け根が存在する方向を推定することができる。図７は、推定された指の付け根の方向に基づき、入力容易エリアを設定する例を示す。
【００４１】
入力容易エリア設定部１４は、座標取得部１２により取得された複数の座標情報に基づき分布領域Ｃ１を設定する。次に、入力容易エリア設定部１４は、分布領域Ｃ１内に配置することのできる線分のうち最長の線分Ｌ１を設定し、線分Ｌ１の延長線Ｌ２とタッチパネルＴの外縁との交点ｐ４１を取得する。続いて、入力容易エリア設定部１４は、交点ｐ４１を中心として、分布領域Ｃ１に含まれる複数の座標のうち、交点ｐ４１から最も遠い座標ｐ４０を通る弧Ｆを設定する。そして、入力容易エリア設定部１４は、弧Ｆとタッチパネル外縁とに囲まれる領域Ｒを入力容易エリアに設定する。なお、交点ｐ４１に代えて、タッチパネルＴの４つの角のうち交点ｐ４１から最も近い角を弧Ｆの中心としてもよい。
【００４２】
入力容易エリア設定部１４は、設定した入力容易エリアを表す情報を入力容易エリア記憶部１５に記憶させる。
【００４３】
入力容易エリア記憶部１５は、入力容易エリア設定部１４により設定された入力容易エリアを記憶する部分である。入力容易エリア記憶部１５は、例えば、図５における領域Ｒを表す座標情報や、領域Ｒの外縁を構成する境界線を表す数式等の情報を、入力容易エリアの情報として記憶できる。
【００４４】
入力オブジェクト判断部１６は、情報端末１において起動されたアプリケーションが、入力オブジェクトを表示するアプリケーションであるか否かを判断する部分である。入力オブジェクトは、タッチパネルにおいて入力位置を示すために表示されるオブジェクトであって、例えば、テキスト情報を入力するためのソフトキーボード、ユーザに対する質問の結果をユーザに入力させるためのボタン等に例示される。入力オブジェクト判断部１６は、判断結果に関する情報を入力オブジェクト表示部１７に送出する。
【００４５】
入力オブジェクト表示部１７は、入力オブジェクトを入力容易エリア記憶部１５に記憶された入力容易エリア内に表示する部分である。具体例には、入力オブジェクト表示部１７は、入力オブジェクト判断部１６により、情報端末１において起動されたアプリケーションが入力オブジェクトを表示するアプリケーションであると判断された場合に、その入力オブジェクトを、タッチパネルＴの表示部Ｄにおける入力容易エリア内に表示させるよう表示制御する。図８を参照して、入力オブジェクト表示部１７による表示処理の例を説明する。
【００４６】
図８（ａ）は、情報端末１において起動されたアプリケーションが、ソフトキーボードの表示を行うものであった場合の表示例を示す図である。図８（ａ）に示すように、入力オブジェクト表示部１７は、タッチパネルＴにおける入力容易エリアとして設定された領域Ｒに、ソフトキーボードＫ１を表示する。
【００４７】
また、図８（ｂ）は、ユーザに対する質問の結果をユーザに入力させるためのボタンの表示を伴うアプリケーションが起動された場合に表示例を示す図である。図８（ｂ）に示すように、入力オブジェクト表示部１７は、タッチパネルＴにおける入力容易エリアとして設定された領域Ｒに、ボタンＫ２を表示する。
【００４８】
次に、図９を参照して、情報端末１における入力オブジェクト表示方法について説明する。図９（ａ）は、入力容易エリアを判断する判断処理を示すフローチャートである。
【００４９】
まず、ユーザに入力操作を促すための入力受付画面をタッチパネルに表示する（Ｓ１）。続いて、座標取得部１２は、入力受付画面の表示に応じたユーザによる入力操作が行われた位置を示す座標情報を取得する（Ｓ２）。座標取得部１２は、取得した座標情報を座標記憶部１３に記憶させる。
【００５０】
次に、入力容易エリア設定部１４は、座標記憶部１３に記憶された座標情報に基づき、入力容易エリアを設定する（Ｓ３）。そして、入力容易エリア設定部１４は、設定した入力容易エリアを表す情報を入力容易エリア記憶部１５に記憶させる（Ｓ４）。
【００５１】
また、図９（ｂ）は、入力オブジェクトの表示処理を示すフローチャートである。まず、情報端末１は、アプリケーションの起動指示を受け付ける（Ｓ５）。続いて、入力オブジェクト判断部１６は、ステップＳ５において起動されたアプリケーションが、入力オブジェクトを表示するアプリケーションであるか否かを判断する（Ｓ６）。起動されたアプリケーションが入力オブジェクトを表示するアプリケーションであると判断された場合には、処理手順はステップＳ７に進められる。一方、起動されたアプリケーションが入力オブジェクトを表示するアプリケーションであると判断されなかった場合には、処理手順は終了する。
【００５２】
ステップＳ７において、入力オブジェクト表示部１７は、起動されたアプリケーションにより表示される入力オブジェクトを入力容易エリア記憶部１５に記憶された入力容易エリア内に表示する（Ｓ７）。なお、図９（ａ）に示した入力受付画面の表示から入力容易エリアの記憶に至る処理は、例えば、ユーザが当該情報端末１の使用を開始するときの初期設定時に行われることが好ましい。また、その処理は、任意のタイミングで実施されることとしてもよい。
【００５３】
次に、コンピュータを、本実施形態の情報端末１として機能させるための入力オブジェクト表示プログラムについて説明する。図１０は、入力オブジェクト表示プログラム１ｍの構成を示す図である。
【００５４】
入力オブジェクト表示プログラム１ｍは、入力オブジェクト表示処理を統括的に制御するメインモジュール１０ｍ、入力受付画面出力部１１ｍ、座標取得部１２ｍ、座標記憶部１３ｍ、入力容易エリア設定部１４ｍ、入力容易エリア記憶部１５ｍ、入力オブジェクト判断部１６ｍ及び入力オブジェクト表示部１７ｍを備えて構成される。そして、各モジュール１０ｍ〜１７ｍにより、情報端末１における各機能部１１〜１７のための各機能が実現される。なお、入力オブジェクト表示プログラム１ｍは、通信回線等の伝送媒体を介して伝送される態様であってもよいし、図１０に示されるように、記録媒体１ｄのプログラム格納領域１ｒに記憶される態様であってもよい。
【００５５】
以上説明した本実施形態の情報端末１、入力オブジェクト表示方法及び入力オブジェクト表示プログラムでは、ユーザによる入力操作が行われた位置を示す座標情報に基づき入力容易エリアが設定されるので、この入力容易エリアは、ユーザにとって入力操作が容易な領域を示す。そして、この入力容易エリア内に入力オブジェクトが表示されるので、ユーザは、容易に入力操作を実施できる。
【００５６】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００５７】
１…情報端末、１１…入力受付画面出力部、１２…座標取得部、１３…座標記憶部、１４…入力容易エリア設定部、１５…入力容易エリア記憶部、１６…入力オブジェクト判断部、１７…入力オブジェクト表示部、１ｄ…記録媒体、１ｍ…入力オブジェクト表示プログラム、１ｒ…プログラム格納領域、１０ｍ…メインモジュール、１１ｍ…入力受付画面出力部、１２ｍ…座標取得部、１３ｍ…座標記憶部、１４ｍ…入力容易エリア設定部、１５ｍ…入力容易エリア記憶部、１６ｍ…入力オブジェクト判断部、１７ｍ…入力オブジェクト表示部、Ｄ…表示部、Ｆ…指、Ｋ１…ソフトキーボード、Ｋ２…ボタン、Ｌ１，Ｌ２…タッチパネル外縁を構成する辺、Ｍ…メッセージ、Ｐ…入力受付部、Ｔ…タッチパネル、Ｃ１…分布領域。
【図１】
2013229002.tif 000003
【図２】
2013229002.tif 000004
【図３】
2013229002.tif 000005
【図４】
2013229002.tif 000006
【図５】
2013229002.tif 000007
【図６】
2013229002.tif 000008
【図７】
2013229002.tif 000009
【図８】
2013229002.tif 000010
【図９】
2013229002.tif 000011
【図１０】
2013229002.tif 000012